(57)【要約】ＨＳＤＰＡ制御チャネルＨＳ−ＳＣＣＨを使用するための改良型の方法では、ＨＳ−ＳＣＣＨ上で運ばれるすべてのｋ＋ｍビットが共に符号化されて、単一のコードワードが形成され、このコードワードは、送信時間間隔ＴＴＩの継続時間全体、すなわち３つのスロット、つまり２ｍｓの間に送信される。受信側で、ユーザは、第１のスロット内に、部分コードワードだけを受信する。ユーザは、それがダウンリンク共有チャネル上の対応する送信の意図された受信者であるかどうか推論する。ユーザは、それが実際に意図された受信者であると判断する場合は、ＨＳ−ＰＤＳＣＨ信号をバッファリングし、ＨＳ−ＳＣＣＨ送信の残りの部分を受信する。
2009535903.tif 000002
【特許請求の範囲】
【請求項１】
通信端末で、制御チャネルを介して送信されたコードワードの一部を受信するステップ（３０）であって、前記コードワードが、共有チャネルで送信を受信するようにスケジューリングされた端末の識別を示す情報を含むステップと、
前記コードワードの一部から、前記通信端末が前記スケジューリングされた端末かどうか推論するステップ（４０、５０）と、
前記通信端末が前記スケジューリングされた端末である場合は、前記送信の受信を開始するステップ（６０）とを含む方法。
【請求項２】
前記推論ステップが、前記コードワードの一部を候補コードワードの集まりと相関させることによって確信尺度を計算するステップ（４０）と、前記確信尺度が閾値を超える場合は前記通信端末が前記スケジューリングされた端末であると推論するステップ（５０）とを含む、請求項１に記載の方法。
【請求項３】
前記コードワードの一部と、前記候補コードワードのそれぞれとの間の各相関が計算され、前記確信尺度が、前記計算された相関のうちで最大である、請求項２に記載の方法。
【請求項４】
前記コードワード（１０）が３つのタイムスロット（１１、１２、１３）を占め、前記コードワードの一部が、前記３つのタイムスロットのうちの第１のタイムスロットに受信される、請求項１に記載の方法。
【発明の詳細な説明】
【技術分野】
【０００１】
無線通信における共有制御チャネルの使用方法に関する。
【背景技術】
【０００２】
ＨＳＤＰＡは、無線通信システム内のダウンリンク、すなわち基地局から移動局へのリンク用の高速パケット・データ伝送システムである。ＨＳＤＰＡの現在の実装は、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によって公開されたＵＭＴＳ仕様のリリース５に定義されている。
【０００３】
ＨＳＤＰＡでは、ユーザ群は、２ｍｓの長さである各送信時間間隔（ＴＴＩ：ｔｒａｎｓｍｉｓｓｉｏｎ  ｔｉｍｅ  ｉｎｔｅｒｖａｌ）内にスケジューリングされる。すなわち、所与のＴＴＩの２ｍｓ継続時間内に、基地局のスケジューラは、その２ｍｓ間隔内にデータが送信される少数のユーザ、一般には最大８ユーザを選択する。次の２ｍｓ間隔に、スケジューラは、送信先となる別のユーザ群を選択してもよい。データは、ＨＳ−ＰＤＳＣＨ（Ｈｉｇｈ−Ｓｐｅｅｄ  Ｐｈｙｓｉｃａｌ  Ｄｏｗｎｌｉｎｋ  Ｓｈａｒｅｄ  Ｃｈａｎｎｅｌ：高速物理ダウンリンク共有チャネル）と呼ばれる物理チャネルを介して、スケジューリングされたユーザのそれぞれに送信される。
【０００４】
ユーザは、それらがスケジューリングされる特定のＴＴＩについて、事前の通知を受信しない。所与の、スケジューリングされたユーザにこうした予備知識が欠如しているので、基地局は、スケジューリングされたユーザに、特定の送信がそのユーザのために行われることを知らせなければならない。ＨＳＤＰＡでは、これは、ＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ：高速共有制御チャネル）と呼ばれる制御チャネルを使用して達成される。所与の任意の時に、スケジューリングされたユーザはそれぞれ、別個のＨＳ−ＳＣＣＨチャネルによるサービスを受ける。様々なＨＳ−ＳＳＣＨチャネルは、それぞれ異なる拡散符号を有することによって区別される。現在の実装では、これらの拡散符号は、ＯＶＳＦ（Ｏｒｔｈｏｇｏｎａｌ  Ｖａｒｉａｔｉｏｎ  Ｓｐｒｅａｄｉｎｇ  Ｆａｃｔｏｒ：直行可変拡散率）符号である。
【０００５】
ＨＳ−ＳＣＣＨチャネルは、スケジューリングされるユーザの一意の識別子を、受信された送信を復号するのにユーザが必要とする複数のパラメータと共に含む。こうしたパラメータは、たとえば、ＨＳ−ＰＤＳＣＨ上でトラフィックがユーザに送信されるデータレート、およびＨＳ−ＰＤＳＣＨに使用される変調を含んでもよい。スケジューリングされたいずれかの送信を受信する前、ユーザは、彼がスケジューリングされているかどうか確認し、またＨＳ−ＰＤＳＣＨからの対応するデータ・トラフィックを復号するのにユーザが必要とするＨＳ−ＳＣＣＨからのパラメータを復号するために、ＨＳ−ＳＣＣＨチャネルをまず復号しなければならない。
【０００６】
ＨＳ−ＳＣＣＨは、ＨＳ−ＰＤＳＣＨを復号するのに必要な制御情報を含む総ビット数ｋ、および一意のユーザ識別を表す総ビット数ｍを運ぶ。これらのｋ＋ｍビットは符号化されて、無線を介して送信される合計１２０個の符号化ビットが形成される。現在の実装では、この符号化は、畳込み符号を使用して行われる。
【０００７】
１２０個の符号化ＨＳ−ＳＣＣＨビットは、２ｍｓ継続時間の送信時間間隔（ＴＴＩ）内に送信される。各ＴＴＩは、それぞれが０．６６７ｍｓの長さである３つのＵＭＴＳタイムスロットで構成される。ＨＳ−ＳＣＣＨ送信と、ＨＳ−ＰＤＳＣＨ上の対応するデータ送信との間のタイミング関係が、図１に示されている。
【０００８】
図に見られるように、ＨＳ−ＳＣＣＨ送信時間間隔１０は、タイムスロット１１、１２および１３で構成され、ＨＳ−ＰＤＳＣＨ送信時間間隔２０は、タイムスロット２１、２２および２３で構成される。図にさらに見られるように、ＨＳ−ＳＣＣＨ  １０は、ＨＳ−ＰＤＳＣＨ  ２０上のデータ送信の開始より２タイムスロット先立って送信される。
【０００９】
ＨＳＤＰＡの現在の仕様では、ｋ＋ｍビットからなるＨＳ−ＳＣＣＨメッセージは、２つの部分に分割される。それぞれの部分は、独立に符号化され、したがって、２つの別個のコードワードが作成される。第１のコードワードは、図１のスロット１１など、ＨＳ−ＳＣＣＨ送信時間間隔のスロット１内に送信され、第２のコードワードは、図１のスロット１２および１３など、同じＴＴＩのスロット２および３内に送信される。
【００１０】
ユーザは、（送信遅延の後）スロット１１中にＨＳ−ＳＣＣＨ送信の第１の部分を受信する。対応するＨＳ−ＰＤＳＣＨ送信時間間隔の開始前に、ユーザは、彼がダウンリンク共有チャネル上の対応する送信の意図された受信者かどうか判断するために、ＨＳ−ＳＣＣＨ送信の第１の部分を復号する。ユーザは、実際に意図された受信者である場合は、ＨＳ−ＰＤＳＣＨ送信時間間隔の開始から、ＨＳ−ＰＤＳＣＨ信号をバッファリングし始め、さらなる制御情報の取得のためにＨＳ−ＳＣＣＨメッセージの第２の部分をも復号する。ＨＳ−ＳＣＣＨメッセージの第１の部分の復号によって、ユーザが意図された受信者でないことが明らかになる場合は、ユーザは、第２の部分を復号する必要はなく、またＨＳ−ＰＤＳＣＨ信号をバッファリングする必要もない。
【発明の開示】
【発明が解決しようとする課題】
【００１１】
制御チャネルの使用のための上記方法は有用であるが、さらなる改良、具体的には電力要件を減少する改良が求められている。
【課題を解決するための手段】
【００１２】
制御チャネルを使用するための改良型の方法が見出されている。少なくとも一部の場合では、この方法によって、電力要件の低減がもたらされる。
【００１３】
この新しい方法によれば、ＨＳ−ＳＣＣＨ上で運ばれるすべてのｋ＋ｍビットは、共に符号化されて、単一のコードワードが形成され、このコードワードは、ＴＴＩの継続時間全体、すなわち３スロット、つまり２ｍｓの間に送信される。受信側で、ユーザは、第１のスロット内に、部分コードワード（ｐａｒｔｉａｌ  ｃｏｄｅｗｏｒｄ）だけを受信する。ユーザは、それがダウンリンク共有チャネル上の対応する送信の意図された受信者であるかどうか推論する。ユーザは、それが実際に意図された受信者であると判断する場合は、ＨＳ−ＰＤＳＣＨ信号をバッファリングし、ＨＳ−ＳＣＣＨ送信の残りの部分を受信する。
【００１４】
特定の実施形態では、ユーザ端末は、たとえば候補コードワードの集まりを格納することによって、候補コードワードへのアクセスを有する。それぞれの候補コードワードは、特にその特定のユーザ端末に関係すると知られている部分コードワードである。推論は、受信された部分コードワードを、候補ベクトルに相関させることによって行われる。相関の尺度が閾値を超える場合は、そのユーザ端末は、意図された受信者であると見なされる。
【発明を実施するための最良の形態】
【００１５】
この新しい方法によれば、ＨＳ−ＳＣＣＨ上で運ばれるすべてのｋ＋ｍビットは共に符号化されて、単一のコードワードが形成され、このコードワードは、２ｍｓ全体、すなわちＴＴＩの３スロット、継続時間の間に送信される。これは、ユーザがＨＳ−ＳＣＣＨ情報の復号のためにＨＳ−ＳＣＣＨ  ＴＴＩの終了まで待たなければならないことを示唆している。しかし、ＨＳ−ＰＤＳＣＨ送信は、その時までに既に開始している。したがって、ユーザは、ＨＳ−ＰＤＳＣＨ信号をバッファリングする前に、ＨＳ−ＳＣＣＨを復号するのを待つことができない。この問題は、ＨＳ−ＳＣＣＨからコードワード全体を受信するのを待たずに、この送信がユーザに意図されたものかどうかユーザが検出するやり方を提供することによって解決されている。
【００１６】
ＨＳ−ＳＣＣＨのスロット１の終わりに、ユーザは、図２のブロック３０に示されるように、ＨＳ−ＳＣＣＨコードワード全体の一部しか受信していない。ユーザは、たとえば、合計１２０個の符号化ビットのうちの４０個しか受信していないことになる。下記に、この部分コードワードのノイズを含む観察値（ｎｏｉｓｙ  ｏｂｓｅｒｖａｔｉｏｎ）だけに基づいて、送信が特定のユーザに意図されたものかどうか判断するためのアルゴリズムについて述べる。
【００１７】
上記に言及したように、ＨＳ−ＳＣＣＨによって運ばれるメッセージは、ｍビットのユーザ識別、およびｋビットの他の制御情報から導出される。特定のユーザに関する限りでは、そのユーザ識別は、固定された、既知の量である。したがって、このユーザに意図されたすべての可能なコードワードの総数は、２ｋである。
【００１８】
このユーザに意図された２ｋ個の可能なコードワードのセットは、コードワードを作成する畳込みまたは他の関数も、ユーザ識別を指定するｍ個の入力ビットに依存するので、他のいずれかのユーザに意図されたセットと重複する可能性は極めて低い。したがって、ユーザは、２ｋ個の異なるこれらのコードワードすべてをリストし、ＨＳ−ＳＣＣＨ送信のスロット１に対応するこれらのコードワードの一部だけを格納する。これらの部分コードワードは一般にユーザ端末に格納されるが、あるいは、離れているがアクセス可能な位置に格納されてもよい。
【００１９】
第ｉの部分コードワードをベクトルＣｉで表す。ただし、ｉは、１から２ｋの範囲であり得る。
【００２０】
ＨＳ−ＳＣＣＨ送信のスロット１を受信した後、ユーザは、ベクトルｙによって表された、部分コードワードの雑音ありバージョンを有する。図２のブロック４０に示されるように、ユーザは、受信された部分コードワードの、格納された部分コードワードとの相関を計算する。可能な一手法では、ユーザは、受信された部分コードワードｙの、格納された部分コードワードＣｉのそれぞれとの相関を計算して、以下のように、相関ｒｉを得る。
【数１】
2009535903.tif 000003
ただし、ｙ（ｎ）は、ベクトルｙの第ｎの要素である。
【００２１】
次いで、ユーザは、これらの相関値の最大値を選択し、この最大値は、ｒｍａｘ＝ｍａｘｉｒｉで表される。この最大相関値（ｒｍａｘ）は、この送信がこのユーザに意図されたものであることの確信の尺度である。図２のブロック５０で示されるように、確信尺度ｒｍａｘは、送信がユーザに意図されたものであったかどうか判断するために、事前定義された閾値Ｔと比較される。換言すると、ユーザは、ｒｍａｘ＞Ｔである場合は、送信がユーザに意図されたものであったと決定し、そうでない場合は、それがユーザに意図されたものでなかったと決定する。
【００２２】
ユーザは、たとえばＨＳ−ＳＣＣＨ送信のスロット１の受信後、およびたとえば対応するＨＳーＰＤＳＣＨのスロット１の開始前に、このテストを実施する。ユーザは、この送信が彼に意図されたものでないと判断する場合は、ＨＳ−ＰＤＳＣＨ信号をバッファリングする必要がなく、またはＨＳ−ＳＣＣＨ送信の残りを受信する必要がない。しかし、図２のブロック６０に示されるように、確信尺度が閾値を超える場合は、ユーザは、ＨＳ−ＰＤＳＣＨ信号をバッファリングし始め、ＨＳ−ＳＣＣＨ送信を受信し続ける。
【００２３】
本発明の精神および範囲から逸脱せずに、確信尺度を計算する様々な他の方法が使用され得ることが理解されよう。たとえば、確信尺度は、ビタビアルゴリズムに使用されるものなど、トレリス・ベースのアルゴリズムを用いて評価してもよいが、こうした手法は一般に、可能なコードワードの数が非常に大きい場合に、最も適用可能である。
【００２４】
本発明について、ＨＳＤＰＡシステムを特に参照して述べたが、こうした言及は、例示するためのものにすぎず、本発明の範囲を限定するものではないことも理解されよう。
【図面の簡単な説明】
【００２５】
【図１】従来技術の方法に対応するＨＳＤＰＡタイミング図である。
【図２】例示的な実施形態における、本明細書に述べられた新しい方法を示すフローチャートである。
【図１】
2009535903.tif 000004
【図２】
2009535903.tif 000005
【国際調査報告】
2009535903.tif 000006
2009535903.tif 000007
2009535903.tif 000008